(57)【要約】  【課題】冷蔵庫の天面に圧縮機を配設しても、運搬を容易に行う。  【解決手段】本発明の冷蔵庫の運搬用取っ手構造は、断熱箱体１と断熱箱体１の天面後方に設けた圧縮機３を収納する機械室である凹部２と、機械室である凹部２の背面側に冷蔵庫を運搬する際に用いる取っ手部である運搬用バー５とを備え、取っ手部によっては機械室の背面側の左右方向における強度を補強する補強機能を備えたものである。  これによって、冷蔵庫最上段凹部に圧縮機を搭載した冷蔵庫においても、取っ手部の強度を確保することができ、重心位置が高くなることで取っ手にかかる荷重がより大きい冷蔵庫を容易に運搬できるようになる。【選択図】図３
2007064595.tif 000002
【特許請求の範囲】
【請求項１】
断熱箱体と、前記断熱箱体の天面後方に設けた圧縮機を収納する空間を有する機械室と、前記機械室の外郭に冷蔵庫を運搬する際に用いるバーとを備え、前記バーは前記機械室の背面側に配置された冷蔵庫。
【請求項２】
機械室は断熱箱体の天面後方に凹部を設けることで形成され、バーは、両端部が前記凹部の外郭を形成する両側壁に固定された請求項１に記載の冷蔵庫。
【請求項３】
機械室は断熱箱体の天面後方に凹部を設けることで形成され、バーは、両端部が前記凹部の外郭を形成する両側壁に固定され、前記両側壁の内部には発泡断熱材が充填された請求項２に記載の冷蔵庫。
【請求項４】
機械室は断熱箱体の天面後方に凹部を設けることで形成され、バーは、両端部が前記凹部の外郭を形成する両側壁に固定され、前記両側壁の内部には補強部材が備えられた請求項２または３に記載の冷蔵庫。
【請求項５】
機械室は断熱箱体の天面後方に凹部を設けることで形成され、前記機械室を覆うカバーは、金属部と樹脂部を有し、バーは前記樹脂部を介して、前記凹部の外郭を形成する両側壁に固定された請求項３または４に記載の冷蔵庫。
【請求項６】
前記樹脂部は、前記断熱箱体の背面側に突出した爪形状を有し、バーは、前記爪形状に仮固定される請求項５に記載の冷蔵庫。
【発明の詳細な説明】
【技術分野】
【０００１】
本発明は圧縮機を天面部に積載した場合の冷蔵庫の運搬用バー構造に関するものである。
【背景技術】
【０００２】
近年、冷蔵庫は、その使い勝手や収納性の向上が求められている。
【０００３】
従来の家庭用の冷蔵庫は、背面側の最下部に圧縮機が配設されており、冷蔵庫の背面側の天面部に運搬用の取っ手が備えられていた。
【０００４】
図８は従来の冷蔵庫の概略断面図を示すものであり、図９は従来の冷蔵庫の概略斜視図を示すものである。
【０００５】
図８に示すように、背面側の最下部に圧縮機が配設されている断熱箱体１０１は、天面後方に運搬用取手１０２が設けられており、運搬用取手１０２は背面側の発泡断熱材が充填される部分の一部を凹ませて形成されていた（例えば、特許文献１参照）。
【０００６】
また、図８のような貯蔵室が一つの比較的小さい容量の冷蔵庫においては、上記のような指を引っ掛けるタイプの運搬用取手１０２が用いられていたが、近年の主流である大容量で複数の貯蔵室を有した比較的大型で重量の大きい冷蔵庫においては、指を引っ掛けるタイプの運搬用取手１０２では、持ち運び時には指からすべり落ちるといった危険があるため、図９に示すような手で握るタイプの運搬用取手１０３が用いられている（例えば、特許文献２参照）。
【特許文献１】実開昭６０−１９１８８７号公報
【特許文献２】特開平７−２７００４１号公報
【発明の開示】
【発明が解決しようとする課題】
【０００７】
しかしながら、上記従来の構成では、圧縮機を天面側に配置した場合には、圧縮機を収納する為の大きな空間部である機械室が冷蔵庫の天面側後方に位置するため、機械室の空間部によって天面後方部分の強度が弱くなり、断熱箱体の機械室周辺に運搬用取手を設けるのが困難であった。
【０００８】
また、冷蔵庫の天面側後方部に、冷蔵庫の構成部品の中で比較的重量の重い物である圧縮機を収納するので、冷蔵庫の重心位置が高くなり冷蔵庫を運搬するときには圧縮機の周辺である機械室近傍に運搬用取手を設けないと運搬しにくいという問題があった。
【０００９】
本発明は、上記従来の課題を解決するもので、圧縮機を天面側に配置した場合でも、冷蔵庫の機械室周辺の強度を向上させるとともに、運搬用取手の強度を確保することで重心位置が高くなった冷蔵庫を安全に運搬できるようにする運搬用取っ手構造を備えた冷蔵庫を提供することを目的とする。
【課題を解決するための手段】
【００１０】
上記従来の課題を解決するために、本発明の冷蔵庫は、断熱箱体と、前記断熱箱体の天面後方に設けた圧縮機を収納する空間を有する機械室と、前記機械室の外郭に冷蔵庫を運搬する際に用いるバーとを備え、前記バーは運搬時の前記機械室の外郭の左右方向における強度を補強する補強構造を有するものであることを特徴とする。
【００１１】
これによって、機械室の空間部によって強度が弱くなった断熱箱体の機械室周辺の強度を上げるとともに、運搬用バーの強度を確保することで重心位置が高くなった冷蔵庫を安全に運搬できるようにする。
【発明の効果】
【００１２】
本発明の冷蔵庫は、機械室の空間部によって強度が弱くなった断熱箱体の機械室周辺の強度を上げるとともに、運搬用の取っ手部の強度を確保することで重心位置が高くなった冷蔵庫を安全に運搬できるようにすることで、圧縮機を天面側に配置した冷蔵庫の運搬時における安全性および使い勝手を向上させることができる。
【発明を実施するための最良の形態】
【００１３】
請求項１に記載の発明は、断熱箱体と、前記断熱箱体の天面後方に設けた圧縮機を収納する空間を有する機械室と、前記機械室の外郭背面側に冷蔵庫を運搬する際に用いる運搬用バーとを備え、前記運搬用バーと前記機械室との間に手が入る空間が確保され、運搬時にバーをしっかり握れる構造を有するものである。
【００１４】
これによって、機械室の空間部によって強度が弱くなった断熱箱体の機械室周辺の強度を上げるとともに、運搬用取っ手をしっかり握ることができるバー形状にすることで、重心位置が高くなったことで取っ手にかかる荷重が大きい冷蔵庫を安全に運搬できるようにする。
【００１５】
請求項２に記載の発明は、機械室は断熱箱体の天面後方に凹部を設けることで形成され、運搬用バーは、両端部が前記凹部の両側壁に固定されることで左右方向に渡って備えられたものである。
【００１６】
これによって、一つの部材で機械室の左右方向における強度の補強と手で握る部分との両方を備えることができる。
【００１７】
請求項３に記載の発明は、機械室は断熱箱体の天面後方に凹部を設けることで形成され、前記凹部の両側壁の内部には、断熱材が充填されたものである。
【００１８】
これによって、機械室の左右方向における強度を補強すると同時に前記運搬用バーの取り付け強度も補強することができる。
【００１９】
請求項４に記載の発明は、機械室は断熱箱体の天面後方に凹部を設けることで形成され、前記凹部の両側壁の内部には、補強部材が固定されたものである。
【００２０】
これによって、機械室の左右方向における強度を補強すると同時に前記運搬用バーの取り付け強度も補強することができる。
【００２１】
請求項５に記載の発明は、機械室は断熱箱体の天面後方に凹部を設けることで形成され、前記凹部を覆うカバーは金属部と樹脂部を有し、運搬用バーは前記樹脂部を介して、前記凹部の両側壁に固定されたものである。
【００２２】
これによって、前記凹部と運搬用バーの間の空間を確保することが用意になり、運搬用バーを握り易くすることで冷蔵庫を安全に運搬できるようにする。
【００２３】
請求項６に記載の発明は、機械室は断熱箱体の天面後方に凹部を設けることで形成され、前記凹部を覆うカバーは金属部と樹脂部を有し、前記樹脂部は運搬用バーを仮固定するための、背面側に突出した爪形状を備えたものである。
【００２４】
これによって、前記運搬用バーを取り付ける際、ビスによる固定をする前に、作業者が一方の手で押さえていなくても運搬用バーが冷蔵庫本体側に仮固定され、運搬用バーによる冷蔵庫の傷付きを防止するとともに、作業性を向上させることができる。
【００２５】
（実施の形態１）
図１は、本発明の実施の形態１における冷蔵庫の概略断面図であり、図２は、機械室の背面上方からみた斜視図であり、図３は運搬用バーを取り付けた状態の背面上方からみた斜視図であり、図４は運搬用バーの握り部を側面方向から見た断面図であり、図５は機械室構成部品の分解斜視図を示すものである。
【００２６】
図１、図２において、１は本発明の断熱箱体で、この断熱箱体１の天面後方に設けた機械室である凹部２に圧縮機３を取り付けている。凹部２の天面および背面を隠すようにカバー４が取り付けられ、カバー４の背面側に、運搬用バー５が位置している。この運搬用バー５は、凹部２の両側面６に両端部を固定している。運搬用バー５の周囲には運搬時に運搬用バー５を握るための空間７が必要で、この握るための空間７は、カバー４に形成された凹部８で構成されている。
【００２７】
また、圧縮機３は、凹部２の幅方向に対して左右の空間１０を有するように配置されており、握り部の空間７も圧縮機３から離れた左右の握り部の空間７で分かれて形成され、圧縮機の左右の空間１０にて左右の握り部の空間７を構成するように、カバー４に左右の凹部８をそれぞれ設けている。
【００２８】
図３、図４、図５において、断熱箱体１は、外箱１３と、内箱１４と、機械室となる凹部２を形成するための外板であるパネルトップ１５で構成され、運搬用バー５を固定している凹部２の両側面６は、外箱１３と、内箱１４と、パネルトップ１５の中に充填される発泡断熱材１６により外郭形成されている。また、発泡断熱材１６の内部には補強部材１７が左右共に配置され、運搬用バー５の取り付けビス１８の下穴を構成している。
【００２９】
以上のように構成された冷蔵庫について、以下その動作、作用を説明する。
【００３０】
まず、断熱箱体１の天面後方に設けた凹部２と、凹部１に設けた圧縮機３と、凹部２の両側面６に端部を固定された運搬用バー５を備えて、この運搬用バー５は凹部２の左右を横断するように配置し、補強部材であると同時に、取っ手部であるように構成したので、凹部２の空間部によって強度が弱くなった断熱箱体の凹部２周辺の強度を上げるとともに、運搬用の取っ手部の強度を確保することで、重心位置が高くなったことで運搬時の取っ手にかかる荷重が大きい冷蔵庫を安全に運搬できるようにする。
【００３１】
また、取っ手をつける際に、凹部の空間を利用するので、冷蔵庫の庫内容積を減少させることなく、重心位置が高くなった冷蔵庫を容易に運搬できるようになる。
【００３２】
また、凹部２の天面および背面を隠すように取り付けられたカバー４に対して運搬用バー５は背面側に配置し、運搬用バー５の周辺に運搬時の握り部の空間７を設け、この握り部の空間７をカバーの凹部８で形成することにより、運搬用バー５によって凹部２の左右方向における強度を補強すると同時に機械室の背面側に取っ手部を備えることができ、一つの部材で機械室の強度の補強構造と手で握る部分との両方を備えることができるので、さらに省スペースな空間にて運搬用取っ手構造を提供できる。
【００３３】
また、圧縮機３は、凹部２の幅方向に対して左右の空間１０を有するように配置されており、握り部の空間７も圧縮機３から離れた左右の握り部の空間７に分かれて形成され、前記圧縮機の左右の空間１０にて左右の握り部の空間７を構成するように、カバー４に左右の凹部８を設けたことにより、圧縮機３の左右の空間１０を有効に運搬用の取っ手のスペースとして使用でき、圧縮機３から逃げた位置で、さらに省スペースな空間にて運搬用取っ手構造を提供できる。
【００３４】
また、凹部２の両側面６は、外箱１３と、内箱１４と、パネルトップ１５で構成され、その中に発泡断熱材１６を充填されるにより、運搬用バー５の両端部の取り付け部である側面６の強度が補強され、運搬用バー５の取り付け強度を上げる構造を提供できる。また、充填された発泡断熱材１６の中の補強部材１７を下穴として運搬用バー５は固定されているため、重心位置が高くなったことで運搬用バー５に大きな荷重がかかっても運搬用バー５をしっかり固定することができる。
【００３５】
なお、運搬用バー５の形状や材料にもよるが、握り部となる部分の外郭形状や表面状態が、手で握った際に握りにくかったり、手が痛いなど負担がかかることが懸念される場合は、当該握り部に運搬性を高める外郭構造を付加することでこれらの問題を解消することができる。具体的には、運搬用バー５の握り部周囲に樹脂製の別部品を被せたり、この別部品を握りやすい形状に工夫したり、滑りにくくグリップ性の高いゴム系などの材料で形成した別部品で覆ったりすることで対応が可能である。
【００３６】
（実施の形態２）
図６は本発明の実施の形態２における冷蔵庫の機械室カバーの構成を示す分解斜視図であり、図７は運搬用バーの仮固定状態を示す斜視図である。
【００３７】
なお、実施の形態１と同一構成については、同一符号を付して詳細な説明を省略する。
【００３８】
断熱箱体１天面後方に設けた機械室である凹部２に圧縮機３を取り付けている。凹部２の天面および背面を隠すようにカバー４が取り付けられ、カバー４の外側に、運搬用バー５が位置している。このカバー４は、中央部が金属製鉄板２１、両端部が樹脂製部品２２で構成されており、運搬時に運搬用バーを握った時の空間部を自由に形成することができる。
【００３９】
この構成によって、運搬用バー５を取り付け時、仮固定する爪形状２３を形成することができ、運搬用バー５をビス１８で固定する時に一方の手で運搬用バー５を押さえながらもう一方の手でドライバーや電動ドライバーを使用することが必要なくなる。これによって、運搬用バー５の取り付けのためのドライバーの使用時の作業性を向上させるとともに、運搬用バー５が固定前に動いてしまい、冷蔵庫の本体部分や、周囲の冷蔵庫等に当たり、傷つけてしまう可能性を軽減することができる。
【産業上の利用可能性】
【００４０】
本発明の冷蔵庫の運搬用取っ手構造は、冷蔵庫最上段の圧縮機搭載の凹部を利用して、内容積を減少させることなく、重心位置が高くなった冷蔵庫を用意に運搬することができるものなので、業務用の大型冷蔵庫および冷凍庫やショーケースといった冷凍機器にも適用できる。
【図面の簡単な説明】
【００４１】
【図１】本発明の実施の形態１における冷蔵庫の概略断面図
【図２】本発明の実施の形態１における機械室の背面上方からみた斜視図
【図３】本発明の実施の形態１における背面上方からみた斜視図
【図４】本発明の実施の形態１における握り部の断面図
【図５】本発明の実施の形態１における機械室構成部品の分解斜視図
【図６】本発明の実施の形態２における機械室カバーの構成を示す分解斜視図
【図７】本発明の実施の形態２における運搬用バーの仮固定状態を示す斜視図
【図８】従来の冷蔵庫の概略断面図
【図９】従来の冷蔵庫の概略斜視図
【符号の説明】
【００４２】
１    断熱箱体
２    凹部
３    圧縮機
４    カバー
５    運搬用バー
６    側面
１１  握り部の空間
１３  外箱
１４  内箱
１５  パネルトップ
１７  補強部材
２３  爪形状
【図１】
2007064595.tif 000003
【図２】
2007064595.tif 000004
【図３】
2007064595.tif 000005
【図４】
2007064595.tif 000006
【図５】
2007064595.tif 000007
【図６】
2007064595.tif 000008
【図７】
2007064595.tif 000009
【図８】
2007064595.tif 000010
【図９】
2007064595.tif 000011